(57)【要約】【課題】多数の医用画像についての診断効率を大幅に向上することができる診断支援方法、装置、プログラムを提供する。【解決手段】モニタ４及び記憶手段３を有するコンピュータ２により、デジタルの胸部画像１８を表示し、その胸部画像１８に対する診断結果である読影コード５０を記憶し、モニタ４において複数の胸部画像１８を同時に表示し（Ｓ３）、モニタ４において表示された各胸部画像１８のいずれかに対しマークを付する旨の入力を受け付け、その入力があると、当該胸部画像１８においてマークを配置し（Ｓ５）、マークの付された胸部画像１８以外の、現在表示されている胸部画像１８に対し、一括して正常であるとの診断結果を与える旨の入力を受け付け、その入力があると、現在表示されている胸部画像１８に対する診断結果を正常であるものとして、記憶手段３において記憶する（Ｓ７）。【選択図】  図３
2009106450.tif 000002
【特許請求の範囲】
【請求項１】
表示手段及び記憶手段を有するコンピュータにより、デジタルの医用画像を順次表示し、その医用画像に対する診断結果を記憶することで、医用画像を用いた診断を支援する方法であって、
前記コンピュータが、前記表示手段において複数の前記医用画像を同時に表示するステップと、
前記コンピュータが、現在表示されている各医用画像のいずれかに対しマークを付する旨の入力を受け付け、その入力があると、当該医用画像において前記マークを配置するステップと、
前記コンピュータが、前記マークの付された医用画像以外の、全ての前記医用画像及び／又は現在表示されている前記医用画像に対し、一括して正常であるとの診断結果を与える旨の入力を受け付け、その入力があると、当該医用画像に対する診断結果を正常であるものとして、前記記憶手段において記憶するステップと
を備えたことを特徴とする医用画像診断支援方法。
【請求項２】
前記医用画像は、異なる受診者について同時期に取得されたものである
ことを特徴とする請求項１に記載の医用画像診断支援方法。
【請求項３】
前記コンピュータは、現在表示されている前記医用画像のいずれかに対する所定の入力を受け付けると、その医用画像を拡大表示するステップを更に備えた
ことを特徴とする請求項１又は請求項２に記載の医用画像診断支援方法。
【請求項４】
デジタルの医用画像を順次表示可能な表示手段と、前記医用画像に対する診断結果を記憶可能な記憶手段とを有するコンピュータを備えており、
前記コンピュータは、
前記表示手段において複数の前記医用画像を同時に表示する複数画像表示手段と、
現在表示されている各医用画像のいずれかに対しマークを付する旨の入力を受け付け、その入力があると、当該医用画像において前記マークを配置するマーク付与手段と、
前記マークの付された医用画像以外の、全ての前記医用画像及び／又は現在表示されている前記医用画像に対し、一括して正常であるとの診断結果を与える旨の入力を受け付け、その入力があると、当該医用画像に対する診断結果を正常であるものとして、前記記憶手段において記憶する一括記憶指令手段と
を備えたことを特徴とする医用画像診断支援装置。
【請求項５】
前記医用画像は、異なる受診者について同時期に取得されたものである
ことを特徴とする請求項４に記載の医用画像診断支援装置。
【請求項６】
前記コンピュータは、現在表示されている前記医用画像のいずれかに対する所定の入力を受け付けると、表示手段に対し、その医用画像を拡大表示するよう指令する拡大表示指令手段を更に備えている
ことを特徴とする請求項４又は請求項５に記載の医用画像診断支援装置。
【請求項７】
表示手段及び記憶手段を有するコンピュータにより実行可能な、デジタルの医用画像を順次表示させ、その医用画像に対する診断結果を記憶させることで、医用画像を用いた診断を支援するプログラムであって、
前記コンピュータの前記表示手段において複数の前記医用画像を同時に表示させるステップと、
前記コンピュータに、現在表示されている各医用画像のいずれかに対しマークを付する旨の入力を受け付けさせ、その入力があると、当該医用画像における前記マークの配置を指令するステップと、
前記コンピュータに、前記マークの付された医用画像以外の、全ての前記医用画像及び／又は現在表示されている前記医用画像に対し、一括して正常であるとの診断結果を与える旨の入力を受け付けさせ、その入力があると、当該医用画像に対する診断結果を正常であるものとして、前記記憶手段において記憶することを指令するステップと
を備えたことを特徴とする医用画像診断支援プログラム。
【請求項８】
前記医用画像は、異なる受診者について同時期に取得されたものである
ことを特徴とする請求項７に記載の医用画像診断支援プログラム。
【請求項９】
前記コンピュータに、現在表示されている前記医用画像のいずれかに対する所定の入力を受け付けさせ、その入力があると、前記表示手段に対し当該医用画像の拡大表示を指令するステップを更に備えた
ことを特徴とする請求項７又は請求項８に記載の医用画像診断支援プログラム。
【発明の詳細な説明】
【技術分野】
【０００１】
本発明は、デジタルＸ線胸部撮影に係る検査画像等のデジタル医用画像を用いた診断をコンピュータにより支援する方法、並びにこの方法を実行可能な装置及びプログラムに関する。
【背景技術】
【０００２】
従来のデジタル医用画像を用いた診断の支援装置として、下記特許文献１に記載の画像表示制御装置が知られている。この装置は、当該文献の図１２及び図１３に示されるように、同一受診者に係る複数回の検査画像について、分割した表示領域のそれぞれに配置して表示する。
【０００３】
【特許文献１】特開２００２−１３６５０８号公報
【発明の開示】
【発明が解決しようとする課題】
【０００４】
このような従来の装置では、所定の受診者の経過が分かり易いものの、異なる受診者を診断する場合にはその都度入力操作をしなければならず、団体所属者を受診者とする胸部撮影検査画像といった多数の検査画像についての正確かつ迅速な診断を支援することはできない。
【０００５】
そこで、請求項１、４、７に記載の発明は、多数の医用画像についての診断効率を大幅に向上することができる診断支援方法、装置、プログラムを提供することを目的としたものである。
【課題を解決するための手段】
【０００６】
上記目的を達成するために、請求項１に記載の発明は、表示手段及び記憶手段を有するコンピュータにより、デジタルの医用画像を順次表示し、その医用画像に対する診断結果を記憶することで、医用画像を用いた診断を支援する方法であって、前記コンピュータが、前記表示手段において複数の前記医用画像を同時に表示するステップと、前記コンピュータが、現在表示されている各医用画像のいずれかに対しマークを付する旨の入力を受け付け、その入力があると、当該医用画像において前記マークを配置するステップと、前記コンピュータが、前記マークの付された医用画像以外の、全ての前記医用画像及び／又は現在表示されている前記医用画像に対し、一括して正常であるとの診断結果を与える旨の入力を受け付け、その入力があると、当該医用画像に対する診断結果を正常であるものとして、前記記憶手段において記憶するステップとを備えたことを特徴とするものである。
【０００７】
請求項２に記載の発明は、上記発明にあって、前記医用画像は、異なる受診者について同時期に取得されたものであることを特徴とするものである。
【０００８】
請求項３に記載の発明は、上記発明にあって、前記コンピュータは、現在表示されている前記医用画像のいずれかに対する所定の入力を受け付けると、その医用画像を拡大表示するステップを更に備えたことを特徴とするものである。
【０００９】
上記目的を達成するために、請求項４に記載の発明は、デジタルの医用画像を順次表示可能な表示手段と、前記医用画像に対する診断結果を記憶可能な記憶手段とを有するコンピュータを備えた医用画像診断支援装置にあり、前記コンピュータは、前記表示手段において複数の前記医用画像を同時に表示する複数画像表示手段と、現在表示されている各医用画像のいずれかに対しマークを付する旨の入力を受け付け、その入力があると、当該医用画像において前記マークを配置するマーク付与手段と、前記マークの付された医用画像以外の、全ての前記医用画像及び／又は現在表示されている前記医用画像に対し、一括して正常であるとの診断結果を与える旨の入力を受け付け、その入力があると、当該医用画像に対する診断結果を正常であるものとして、前記記憶手段において記憶する一括記憶指令手段とを備えたことを特徴とするものである。
【００１０】
請求項５に記載の発明は、上記発明にあって、前記医用画像は、異なる受診者について同時期に取得されたものであることを特徴とするものである。
【００１１】
請求項６に記載の発明は、上記発明にあって、前記コンピュータは、現在表示されている前記医用画像のいずれかに対する所定の入力を受け付けると、表示手段に対し、その医用画像を拡大表示するよう指令する拡大表示指令手段を更に備えていることを特徴とするものである。
【００１２】
上記目的を達成するために、請求項７に記載の発明は、表示手段及び記憶手段を有するコンピュータにより実行可能な、デジタルの医用画像を順次表示させ、その医用画像に対する診断結果を記憶させることで、医用画像を用いた診断を支援するプログラムであって、前記コンピュータの前記表示手段において複数の前記医用画像を同時に表示させるステップと、前記コンピュータに、現在表示されている各医用画像のいずれかに対しマークを付する旨の入力を受け付けさせ、その入力があると、当該医用画像における前記マークの配置を指令するステップと、前記コンピュータに、前記マークの付された医用画像以外の、全ての前記医用画像及び／又は現在表示されている前記医用画像に対し、一括して正常であるとの診断結果を与える旨の入力を受け付けさせ、その入力があると、当該医用画像に対する診断結果を正常であるものとして、前記記憶手段において記憶することを指令するステップとを備えたことを特徴とするものである。
【００１３】
請求項８に記載の発明は、上記発明にあって、前記医用画像は、異なる受診者について同時期に取得されたものであることを特徴とするものである。
【００１４】
請求項９に記載の発明は、上記発明にあって、前記コンピュータに、現在表示されている前記医用画像のいずれかに対する所定の入力を受け付けさせ、その入力があると、前記表示手段に対し当該医用画像の拡大表示を指令するステップを更に備えたことを特徴とするものである。
【発明の効果】
【００１５】
請求項１，４，７に記載の発明によれば、複数まとめて医用画像を表示し、表示された医用画像に対するマークの入力を受け付け、マークの入力された医用画像以外の医用画像につき一括して正常とするため、多数の医用画像についての診断効率を大幅に向上することができる、という効果を奏する。
【００１６】
請求項２，５，８に記載の発明によれば、医用画像を、異なる受診者について同時期に取得されたものとしたので、上記効果に加えて、特に正常と診断される場合を多く含む団体所属者の検診につき、効率を一層向上することができる、という効果を奏する。
【００１７】
請求項３，６，９に記載の発明によれば、医用画像を拡大表示可能としたので、上記効果に加えて、適宜より精密な診断を行うことができる、という効果を奏する。
【発明を実施するための最良の形態】
【００１８】
本発明に係る実施の形態の例につき、適宜図面に基づいて説明する。なお、本発明の形態は、以下の例に限定されない。
【００１９】
図１は医用画像の診断支援装置１に係るブロック図であって、診断支援装置１は、コンピュータ２を含み、コンピュータ２は、各種情報を記憶する記憶手段３、各種画像等を表示する表示手段としてのモニタ４、操作者（診断者等）による入力を受け付ける入力手段６、外部のデジタル医療機器Ｍからデジタル画像等の情報を受信する画像入力部８、これらを制御する制御手段１０を備える。
【００２０】
なお、記憶手段３はハードディスクあるいはリムーバブルディスクで構成され、モニタ４はＬＣＤ（液晶ディスプレイ）あるいはＣＲＴ（ブラウン管）で構成され、入力手段６はキーボードやポインティングデバイス（マウスやトラックボール等）で構成され、画像入力部８は接続端子ないしはコントローラで構成され、制御手段１０はプロセッサやメモリで構成される。
【００２１】
一方、デジタル医療機器（モダリティ）Ｍとしては、ＣＲ（Computed Radiography）、ＦＰＤ（Flat Panel Detector）、ＣＴ（Computed Tomography）、ＭＲＩ（Magnetic Resonance Imaging）等があるが、ここでは団体所属者の胸部検診のために医用の検査画像（胸部画像）をデジタル撮影（Digital Radiography、ＤＲ）可能なＣＲが接続されている例につき説明する。なお、団体所属者の胸部検診（大病院における全患者に対するスクリーニング、職場における定期健康診断における各職員に対する検診等）においては、多くの場合、同時期において異なる受診者に係る胸部画像が大量に取得され、受診者１名に対し胸部画像が１枚撮影され、又大多数の受診者が正常と診断される。
【００２２】
記憶手段３は、診断支援プログラム１２を有すると共に、画像ファイル保存部１４と、データベース１６とを有する。画像ファイル保存部１４では、デジタル医療機器Ｍから転送されてきたデジタルＸ線胸部撮影に係る胸部画像１８を複数保存可能である。又、データベース１６では、図２に示すように、胸部画像１８の識別記号（ここではファイル名２０）と、診断結果を示す読影コードを記録する読影コード保存部２２とが対応付けられて保存される。なお、データベース１６では、性別、受診者識別記号、受診者氏名、既読・未読の別、デジタル医療機器Ｍの機種、撮影部位、撮影日時、撮影施設名、所属団体名等が対応付けられるようにすることもできる。
【００２３】
診断支援装置１において、制御手段１０により診断支援プログラム１２が逐次読み出されて実行されると、診断支援方法が実施される。図３は診断支援装置１において実行される診断支援プログラムないしはこれにより実施される診断支援方法のフローチャートである。診断支援プログラムないしは診断支援方法にあって、制御手段１０は、予めデジタル医療機器Ｍから胸部画像１８及びこれに関するデータを取得し、画像ファイル保存部１４やデータベース１６に保存しておく（ステップＳ１、以下単にＳ１等という）。
【００２４】
そして、制御手段１０は、図４の上部に示すように、データベース１６の内容の一部又は全部を表形式でモニタ４に表示し、診断対象とする胸部画像１８の選択入力を受け付ける（Ｓ２）。かかる表形式の表示は、図示しない検索窓への条件入力により、施設別、検査期間別、既読未読別等でなし得る。又、制御手段１０は、この表において所定範囲の胸部画像１８のセルへの選択入力がなされ、「Ready to read」と記されたボタン３０への入力がなされると、診断しようとする胸部画像１８のリストである診断待ちリスト３２に前記所定範囲の胸部画像１８の各データを加え、図４の下部に示すように表示する。更に、制御手段１０は、「Clear waiting list」と記されたボタン３４への入力がなされると、診断待ちリスト３２をクリアする。加えて、制御手段１０は、診断待ちリスト３２を表示した状態で「Start to read」と記されたボタン３６への入力がなされると、次のＳ３の処理へ移行する。なお、診断待ちリスト３２は、記憶手段３において保存ないし更新される。
【００２５】
次に、制御手段１０は、図５に示すように、診断待ちリスト３２に係る複数の胸部画像１８の組について、モニタ４において同時に表示する（Ｓ３）。制御手段１０は、予め画像レイアウト（例えば１行２列、２行２列、２行３列、３行３列、３行４列、４行４列等、図５では３行３列）に関する設定入力を受け付けて保存しておき、この画像レイアウトの設定に従って胸部画像１８を表示する。又、制御手段１０は、診断待ちリスト３２における順序に基づいて表示する胸部画像１８のファイル名２０を抽出し、そのファイル名２０に基づいて画像ファイル保存部１４における胸部画像１８を参照する。なお、制御手段１０は、表示している胸部画像１８の前後の胸部画像１８についても予め参照し、表示はしないものの、メモリに一時的に格納しておく。又、Ｓ３を実行する制御手段１０は、複数画像表示手段を構成する。
【００２６】
加えて、制御手段１０は、特定の胸部画像１８に対する入力（例えばダブルクリック）があると、図６に示すように、その胸部画像１８のみを拡大表示し、拡大表示した胸部画像１８に対する入力（例えばダブルクリック）があると、図５に示すような複数の胸部画像１８が配置された表示に戻す（Ｓ４）。なお、Ｓ４を実行する制御手段１０は、拡大表示指令手段を構成する。
【００２７】
又、制御手段１０は、拡大表示の有無にかかわらず、「→」と表示されたボタン４０に対する入力があると、前の胸部画像１８（非拡大表示時は前の組）についての表示を行い、「←」と表示されたボタン４２に対する入力があると、次の胸部画像１８（非拡大表示時は次の組）についての表示を行う。このとき、制御手段１０は、メモリ上の胸部画像１８を参照し、メモリ上に表示すべき胸部画像１８が無い場合は画像ファイル保存部１４を参照する。これらボタン４０，４２への入力により、胸部画像１８の順次の表示がなされる。なお、制御手段１０は、特定の胸部画像１８に対する別の入力（例えばクリック）を受けると、その胸部画像１８が選択された状態とし、その周りに細枠を表示する。
【００２８】
そして、制御手段１０は、図７に示すように、各胸部画像１８に対してマークを付する旨の入力を受け付ける（Ｓ５）。マークは、ここでは「→」及び「○」であり、対応するボタン４４，４５のいずれか一方への入力（例えばクリック）の後、胸部画像１８上のマークを置くべき位置に対する入力があると、制御手段１０は、マークをその位置に配置し、胸部画像１８に重ねて表示する（図７のマーク４６，４７）。制御手段１０は、複数のマークに係る入力を受け付け、表示することもできる。診断者は各胸部画像１８を読影して診断し、操作者は異常と認められる（異常の疑いがある）箇所にマークを付する。Ｓ５を実行する制御手段１０は、マーク付与手段を構成する。
【００２９】
なお、制御手段１０は、マークを付する入力が有った場合、そのマークの種類及び位置情報を、データベース１６におけるマークの付された胸部画像１８のファイル名２０に対応するマーク情報４８の項目において記録する。又、制御手段１０は、図８に示すように、拡大表示された胸部画像１８に対するマークの付与も受け付けることができ、マークの表示をすることもできる（図８ではマーク４９）。更に、制御手段１０は、マークを移動する旨の入力（例えばマークのドラッグ）が有るとマークを移動表示すると共にデータベース１６におけるマーク情報４８を更新し、マークを消去する旨の入力（例えばマーク選択後所定のキーを押下する）が有るとマークを消去してマーク情報４８を更新する。
【００３０】
加えて、制御手段１０は、図９に示すように、胸部画像１８に対し読影コード５０を付する旨の入力を受け付ける（Ｓ６）。読影コード５０は、読影状態（診断）の種類を示すコードであって、ここでは正常を示す「１」、画像不良に対応する「２」、非活動性肺結核を示す「３」、軽度肺結核を示す「４」、中等症肺結核を示す「５」、重度肺結核を示す「６」、肺結核疑症を示す「７」、非結核疾患を示す「８」、循環器疾患を示す「９」、診断未定を示す「１０」となっており、通常一般に使用されている検診読影コードの規定に従う。制御手段１０は、ある胸部画像１８が選択されている状態で、リストボックス５２にて読影コード５０の選択入力を受け付けると、その胸部画像１８に対して当該読影コード５０を付し、データベース１６におけるファイル名２０に対応する読影コード保存部２２の項目において記録する。
【００３１】
又、制御手段１０は、胸部画像１８について読影コード５０が付される（データベース１６の読影コード保存部２２の項目に正常以外の記録がある）と、マークとして、その胸部画像１８（の下部）に読影コード５０ないしその説明を表示する（図９のマーク５３）。なお、制御手段１０は、読影コード５０あるいはその説明のいずれか一方のみを表示することもできる。又、制御手段１０は、任意のコメントに係る入力を受け付け、マークとして表示することもできる。
【００３２】
そして、制御手段１０は、図１０に示すように、マークが付された胸部画像１８以外の、現在表示されている胸部画像１８に対し、一括して正常であるとの診断結果を与える旨の入力を受け付ける（Ｓ７）。即ち、制御手段１０は、「Read NL except ← o」と記されたボタン５４への入力があると、マークが付された胸部画像１８（あるいは正常以外の読影コード５０が付された胸部画像１８）を除く、現在表示中の胸部画像１８のファイル名２０に対応する読影コード保存部２２の項目について、正常に相当する１を記録する。又、制御手段１０は、マークが付された胸部画像１８を除く、現在表示中の各胸部画像１８（の下部）に対して、正常と診断したことを示す符号（ここでは「ＮＬ」、符号５５）を表示する。なお、符号５５の表示は、マークの表示と同様に処理される。又、Ｓ７を実行する制御手段１０は、一括記憶指令手段を構成する。
【００３３】
又、制御手段１０は、図１１に示すように、所定の入力に基づき、マークが付された胸部画像１８のみを表示することもできる（Ｓ８）。所定の入力は、ここでは「Review ← o」と記されたボタン５６への入力である。このＳ８においても、Ｓ３で説明したような拡大表示を行うことができ、胸部画像１８のより精密に読影をすることが可能である。なお、制御手段１０は、正常でない読影コード５０の付された胸部画像１８のみを表示するようにしても良い。
【００３４】
このようにして、診断者あるいは操作者は、同時に表示された複数の胸部画像１８を診断し、異常の見受けられる胸部画像１８に対してマークや読影コード５０（正常以外）を付し、適宜これらの付された胸部画像１８のみを表示あるいは拡大表示させて更に詳しく診断し、以上につき次の胸部画像１８の組を表示させる等してＳ２で設定した診断待ちリスト３２の範囲で順次繰り返す。そして、診断者あるいは操作者は、診断待ちリスト３２に係る胸部画像１８に対して診断が完了した場合には、Ｓ２に戻って別の胸部画像１８にに係る診断待ちリスト３２を設定し、Ｓ３以下を行って、診断を続行することができる。
【００３５】
なお、診断待ちリスト３２に属する全ての胸部画像１８（マークが付されたものを除く）に対し、一括して正常であるとの診断結果を与えるためのボタンを、ボタン５４に代えて、あるいはボタン５４と共に設けることができる。このようなボタンを設けた場合には、診断待ちリスト３２に属する全ての胸部画像１８について診断し、適宜マークを付与した後において、マークの付された胸部画像１８以外の全ての胸部画像１８（現在表示されていないものも含む）に対し、一度の操作で一括して正常である旨記憶させることができる。
【００３６】
以上説明したように、モニタ４及び記憶手段３を有するコンピュータ２により、デジタルの胸部画像１８を診断待ちリスト３２に基づき順次表示し、その胸部画像１８に対する診断結果である読影コード５０を記憶し、コンピュータ２がモニタ４において複数の胸部画像１８を同時に表示するＳ３と、コンピュータ２がモニタ４において現在表示されている各胸部画像１８のいずれかに対しマークを付する旨の入力を受け付け、その入力があると、当該胸部画像１８においてマークを配置するＳ５と、コンピュータ２がマークの付された胸部画像１８以外の、現在表示されている胸部画像１８（及び／又は診断待ちリスト３２に係る全ての医用画像）に対し、一括して正常であるとの診断結果を与える旨の入力を受け付け、その入力があると、現在表示されている胸部画像１８に対する診断結果を正常であるものとして、記憶手段３において記憶するＳ７とを実行するので、複数の胸部画像１８に対する読影による診断の効率を極めて良好なものとすることができる。
【００３７】
又、診断待ちリスト３２（あるいはデータベース１６）に係る胸部画像１８は、団体所属者に対する所定の検診において収集されたものであり、異なる受診者について同時期に取得されたものであるため、ほとんどに胸部画像１８につき正常と判断され得る複数の胸部画像１８に対する診断の効率をより一層良好なものとすることができる。
【００３８】
更に、コンピュータ２は、現在表示されている胸部画像１８のいずれかに対する所定の入力（ダブルクリック）を受け付けると、その胸部画像を拡大表示するため、必要に応じて胸部画像１８を精密に読影することができ、診断効率に配慮しながら検診をより一層正確なものとすることができる。
【００３９】
なお、主に上記実施形態を変更して成る、本発明の他の実施形態を例示する。医用画像（検査画像）につき、胸部に係るものではなく、他の部位に係るものとする。複数の医用画像につき、同時期に（同一の検診で）取得された異なる受診者における同一対象（胸部）に係るものではなく、時期的間隔をおいて取得されたものとしたり、同一の受診者の異なる対象に係るものとしたり、各受診者によって対象が相違するものとしたり、これらが適宜混在するものとしたりする。現在表示されている医用画像の組について一括して正常と設定した後に自動で次の組を表示する等、各種ステップないし処理につき変更・付加・省略・順序の入れ替え等を行う。データあるいはデータベースにつき、読影コード保存部とは別に正常・異常の別のみを記録するフラグを設けるといったように、変更・付加・省略・順序の入れ替え等をする。複数の医用画像のレイアウトにつき、２行２列等の格子状のものでなく、円弧や楕円に沿って配置したもの等とする。また、表示する項目や内容につき、診断待ちリストにおいて読影コードを表示する等、適宜変更・付加・省略・順序の入れ替え等を行う。
【産業上の利用可能性】
【００４０】
本発明は、モダリティや診療情報処理装置の傍において単独で実施する他、モダリティや診療情報処理装置等に導入した（組み込んだ）形で実施することもできる。
【図面の簡単な説明】
【００４１】
【図１】本発明の実施形態に係る診断支援装置のブロック図である。
【図２】図１におけるデータベースの模式図である。
【図３】本発明の実施形態に係る診断支援方法（診断支援プログラム）のフローチャートである。
【図４】診断待ちリスト作成時のモニタにおける表示を示す図である。
【図５】複数の胸部画像の同時表示を示す図である。
【図６】特定の胸部画像の拡大表示を示す図である。
【図７】図５においてマークを付した場合の図である。
【図８】図６においてマークを付した場合の図である。
【図９】図６において読影コードに係るマークを付した場合の図である。
【図１０】図５において正常である旨の一括記憶をなした場合の図である。
【図１１】図５においてマークの付された胸部画像のみの表示を指令した場合の図である。
【符号の説明】
【００４２】
１    診断支援装置
２    コンピュータ
３    記憶手段
４    モニタ
１０    制御手段
１８    胸部画像（医用画像）
５０    読影コード（診断結果）
【図１】
2009106450.tif 000003
【図２】
2009106450.tif 000004
【図３】
2009106450.tif 000005
【図４】
2009106450.tif 000006
【図５】
2009106450.tif 000007
【図６】
2009106450.tif 000008
【図７】
2009106450.tif 000009
【図８】
2009106450.tif 000010
【図９】
2009106450.tif 000011
【図１０】
2009106450.tif 000012
【図１１】
2009106450.tif 000013